(57)【特許請求の範囲】
【請求項１】
壁の上面に配置され、長さ方向の少なくとも一方の端部に、裏面側の長さ方向の長さよりも表面側の長さ方向の長さが長くなるように傾斜部が形成されており、上記傾斜部が形成された端部の幅方向の両縁部には、上記傾斜部の縁側を隠す覆い縁部が当該笠木の一部により形成されている笠木を用いる施工方法であって、
上記笠木を壁の傾斜上面に配置し、この笠木の端部が出隅の壁面に接触するように、上記両縁部に形成されている覆い縁部のうちの一方の覆い縁部を上記出隅の角に位置させ、他方の覆い縁部を切断することを特徴とする笠木の施工方法。
【請求項２】
壁の上面に配置され、長さ方向の少なくとも一方の端部に、裏面側の長さ方向の長さよりも表面側の長さ方向の長さが長くなるように傾斜部が形成されており、上記傾斜部が形成された端部の幅方向の両縁部には、上記傾斜部の縁側を隠す覆い縁部が当該笠木の一部により形成され、且つ上記覆い縁部が上記傾斜部の表面側の端よりも上記長さ方向に突き出ている笠木を用いる施工方法であって、
上記笠木の端部が出隅の壁面に接触するように、上記両縁部に形成されている覆い縁部のうちの一方の覆い縁部を上記出隅の角に位置させ、他方の覆い縁部を切断することを特徴とする笠木の施工方法。
【請求項３】
請求項２に記載の笠木の施工方法において、上記笠木の上記覆い縁部には、当該笠木の幅を当該笠木の端部の側にかけて狭めていく非直角領域が形成されていることを特徴とする笠木の施工方法。
【発明の詳細な説明】
【技術分野】
【０００１】
この発明は、袖壁や階段腰壁の上面に配置される笠木および笠木を用いる施工方法に関する。
【背景技術】
【０００２】
特許文献１に開示された加工方法では、押出成形材の押し出し方向に延びる平坦な一側面のみを除いて、押出成形材の端部近傍を、押し出し方向に直交する方向のＶ溝で欠切して、Ｖ溝の溝底と一側面との間に、薄肉部を形成する。そして、対向するＶ溝の内壁面に接着剤を塗布する。薄肉部を変形可能な温度に加熱するとともに、薄肉部より端の押出成形材の端部を、薄肉部を回転中心として、Ｖ溝を狭める方向に回転させて、接着剤を介してＶ溝の対向する内壁面同士を接合する。このような方法であれば、壁面に接しない笠木の端部での小口加工が行える。
【先行技術文献】
【特許文献】
【０００３】
【特許文献１】特開２０００−４５４７３号公報
【発明の概要】
【発明が解決しようとする課題】
【０００４】
しかしながら、上記従来の技術は、壁に接する笠木の端部において適切な仕上げを実現しつつ、壁の端面および出隅のいずれにも、また壁の上面が水平である場合および傾斜している場合のいずれにも用いることができる笠木を提供するものではない。
【０００５】
この発明は、上記の事情に鑑み、壁に接する笠木の端部において適切な仕上げを実現しつつ、例えば袖壁の端面および出隅のいずれにも、また例えば袖壁の上面が水平である場合および傾斜している場合のいずれにも用いることができる笠木およびこの笠木を用いた施工方法を提供することを課題とする。
【課題を解決するための手段】
【０００６】
この発明の笠木は、上記の課題を解決するために、壁の上面に配置される笠木において、長さ方向の少なくとも一方の端部に、裏面側よりも表面側が長くされた傾斜部が形成されており、上記傾斜部が形成された端部の幅方向の両縁部には、上記傾斜部の縁側を隠す覆い縁部が形成されていることを特徴とする。
【０００７】
上記の構成であれば、上記覆い縁部を有するので、上記傾斜部の縁側を隠すことができる。また、この笠木を壁の傾斜上面に配置する場合で上記覆い縁部が壁面に当たって障害になる場合には、当該覆い縁部を切断すればよい。よって、壁に接する笠木の端部において適切な仕上げを実現しつつ、壁の端面および出隅のいずれにも、また壁の上面が水平である場合および傾斜している場合のいずれにも用いることができる。
【０００８】
上記笠木を用いるこの発明にかかる施工方法は、上記笠木を壁の傾斜上面に配置し、この笠木の端部を出隅の壁面に接触させる場合に、上記両縁部に形成されている覆い縁部のうちの一方の覆い縁部を上記出隅の角に位置させ、他方の覆い縁部を切断することを特徴とする。
【０００９】
上記笠木を用いるこの発明にかかる施工方法は、上記笠木を壁の傾斜上面に配置し、この笠木の端部を袖壁の端面に接触させる場合、および上記笠木を壁の水平上面に配置する場合に、上記覆い縁部を切断しないで笠木を用いることを特徴とする。
【００１０】
また、上記笠木において、上記覆い縁部は上記傾斜部の表面側の端よりも上記長さ方向に突き出ていてもよい。これによれば、上記傾斜部の先端が壁の面に接した状態で、この接する面と交差する壁の面に回り込むように上記覆い縁部が位置するので、壁に接する笠木の端部の美観を向上することができる。
【００１１】
上記覆い縁部には、当該笠木の幅を当該笠木の端部の側にかけて狭めていく非直角領域が形成されていてもよい。これによれば、笠木の端部の美観を向上できるとともに、笠木の端の角に何かが引っ掛かる等の問題も解消できる。
【００１２】
このような突き出る形状の覆い縁部を有する笠木を用いるこの発明にかかる施工方法は、上記笠木の端部を出隅の壁面に接触させる場合に、上記両縁部に形成されている覆い縁部のうちの一方の覆い縁部を上記出隅の角に位置させ、他方の覆い縁部を切断することを特徴とする。
【００１３】
また、このような突き出る形状の覆い縁部を有する笠木を用いるこの発明にかかる施工方法は、上記笠木の端部を袖壁の端面に接触させる場合に、上記覆い縁部を切断しないで笠木を用いることを特徴とする。
【発明の効果】
【００１４】
本発明であれば、壁に接する笠木の端部において適切な仕上げを実現しつつ、壁の端面および出隅のいずれにも、また壁の上面が水平である場合および傾斜している場合のいずれにも用いることができるという効果を奏する。
【図面の簡単な説明】
【００１５】
【図１】本発明の実施形態に係る笠木を示した概略図であり、同図（Ａ）は平面図、同図（Ｂ）は底面図である。
【図２】同図（Ａ）は図１の笠木の端側を拡大して示した側面図、同図（Ｂ）は正面図である。
【図３】図１の笠木の端側を拡大して示した斜視図である。
【図４】同図（Ａ）（Ｂ）は図１の笠木の施工例を示した説明図である。
【図５】同図（Ａ）（Ｂ）は図１の笠木の施工例を示した説明図である。
【図６】同図（Ａ）（Ｂ）は図１の笠木の施工例を示した説明図である。
【図７】本発明の他の実施形態に係る笠木を示した概略図であり、同図（Ａ）は平面図、同図（Ｂ）は底面図、同図（Ｃ）は端側部分を示した側面図である。
【００１６】
以下、この発明の実施の形態を添付図面に基づいて説明する。
図１（Ａ）、図１（Ｂ）、図２（Ａ）、図２（Ｂ）および図３に示すように、この実施形態にかかる笠木１は、長さ方向の一方の端部の中央側に、裏面側１Ｂよりも表面側１Ａが長くされた傾斜部１１を有している。この傾斜部１１の傾斜角度は、各種階段の最大傾斜角度以上とし、例えば、４５〜５０度とされる。また、例えば、上記笠木１は木製とされ、全面において塗装やシート貼りなどの表面仕上げを施してもよいが、これに限らず、例えば、上記傾斜部１１についてはその表面仕上げを省くようにしてもよい。また、上記笠木１は樹脂製の押出成形品とすることも可能である。
【００１７】
上記笠木１において、上記傾斜部１１が形成された端部の幅方向の両縁部には、上記傾斜部１１の縁側を隠す覆い縁部１２が形成されている。そして、上記覆い縁部１２は、上記傾斜部１１の表面側の端よりも上記長さ方向に突き出ている。この突き出し長さは、上記傾斜部１１の表面側の端から、例えば、１５ｍｍ程度とされるが、このような寸法に限らない。上記覆い縁部１２において、裏面側１Ｂと表面側１Ａの長さは等しくされているが、必ずしも等しくされている必要はない。また、笠木１は、袖壁５（図４参照）の端面の幅（仕上がり幅）よりも幅広の形状になっている。そして、上記覆い縁部１２の間隔、すなわち、上記傾斜部１１の幅は、上記袖壁５の端面の幅に略一致し、当該端面を呑み込めるようになっている。
【００１８】
また、上記覆い縁部１２には、当該笠木１の幅を当該笠木１の端部の側にかけて狭めていく非直角領域１２ａが形成されている。この非直角領域１２ａは、例えば２０Ｒで形成されているが、このような寸法に限らない。また、非直角領域１２ａは、円弧形状に限らず、テーパ形状としてもよいし、多角形状としてもよい。このように、笠木１に上記非直角領域１２ａが形成されていると、施工現場での面取り加工や仕上げ等の手間を省くことができる。
【００１９】
また、上記笠木１の裏面側１Ｂには、壁面を構成する石こうボードの上端が嵌まる溝１３が形成されている。
【００２０】
上記笠木１を用いる施工では、例えば、図４（Ａ）および図４（Ｂ）に示すように、上記笠木１の端部を袖壁５と平行に当該袖壁５の端面に接触させる場合に、上記覆い縁部１２を切断しないで笠木１を用いる。この場合、上記覆い縁部１２の両側とも、上記袖壁５の端面と直交する壁面側に回り込み、上記端面を呑み込む形となる。上記の施工では、笠木１は図示しない壁（腰壁等）の水平上面に配置されたものとしているが、壁（階段腰壁等）の傾斜上面に置かれた笠木１の端部が袖壁５の端面に接触する場合においても、上記覆い縁部１２は切断しなくてよい。
【００２１】
図５（Ａ）および図５（Ｂ）に示すように、上記笠木１の端部を、袖壁５に直交させて配置し、当該袖壁５の出隅の壁面に接触させる場合には、上記両縁部に形成されている覆い縁部１２のうちの一方の覆い縁部１２を上記出隅の角に位置させ、他方の覆い縁部１２を切断する。換言すれば、上記傾斜部１１を上記出隅の壁面に接触させることの妨げとなる側の覆い縁部１２を切断する。この場合、切断されない側である上記一方の覆い縁部１２は、袖壁５の端面側に回り込む形となる。
すれば、
【００２２】
上記笠木１が壁の水平上面に配置される場合、上記覆い縁部１２の切断は、上記傾斜部１１の傾斜に合せなくてもよく、図３に示したように、上記傾斜部１１の表面側の線の延長線上で垂直で切断してもよい。一方、図６（Ａ）および図６（Ｂ）に示すように、階段腰壁６等の傾斜上面に置かれた笠木１の端部を袖壁５の出隅の壁面に接触させる場合は、上記覆い縁部１２の切断は、上記傾斜部１１の傾斜面に沿って行う。
【００２３】
上記のように覆い縁部１２を切断することで、上記袖壁５の壁面をなす石こうボードを切り欠かなくてもよいことになり、耐火性等の低下を回避できる。また、上記覆い縁部１２を切断した場合でも、その切断面は壁面に対面して見えないので、再塗装等の手間はかからない。
【００２４】
図７（Ａ）、図７（Ｂ）および図７（Ｃ）に示すように、他の実施形態の笠木１００を用いてもよい。この笠木１００は、長さ方向の一方の端部に、裏面側１００Ｂよりも表面側１００Ａが長くされた傾斜部１０１を有している。上記傾斜部１０１が形成された端部の幅方向の両縁部には、上記傾斜部１０１の縁側を隠す覆い縁部１０２が形成されている。上記覆い縁部１０２は、上記覆い縁部１２とは異なり、上記傾斜部１１の表面側の端から長さ方向に突き出てはいない。上記笠木１００の端部は面取りや角取りの加工が施される。
【００２５】
上記笠木１００を用いる施工では、例えば、上記笠木１００の端部を袖壁５と平行に当該袖壁５の端面に接触させるのであれば、上記笠木１００が腰壁等の水平上面に配置される場合および傾斜上面に置かれる場合のいずれも、上記覆い縁部１０２を切断しないで笠木１００を用いる。また、腰壁等の水平上面に置かれた笠木１００の端部を袖壁５の出隅の壁面に接触させる場合も、上記覆い縁部１０２を切断しないで笠木１００を用いる。
【００２６】
一方、階段腰壁等の傾斜上面に置かれた笠木１００の端部を袖壁５の出隅の壁面に接触させる場合は、上記両縁部に形成されている覆い縁部１０２のうちの一方の覆い縁部１０２を上記出隅の角に位置させ、他方の覆い縁部１０２を切断する。換言すれば、上記傾斜部１１を上記出隅の壁面に接触させることの妨げとなる側の覆い縁部１０２を切断する。この切断は、上記傾斜部１０１の傾斜面に沿って行う。
【００２７】
上記の笠木１、１００であれば、上記覆い縁部１２、１０２を有するので、上記傾斜部１１、１０１の縁側を隠すことができる。また、この笠木１、１００を壁の上面に配置する場合で上記覆い縁部１２、１０２が壁面に当たって接触の妨げになる場合には、当該覆い縁部１２、１０２を切断すればよい。よって、壁に接する笠木１、１００の端部において適切な仕上げを実現しつつ、壁の端面および出隅のいずれにも、また壁の上面が水平である場合および傾斜している場合のいずれにも用いることができる。
【００２８】
また、上記笠木１であれば、上記傾斜部１１の先端が壁の面に接した状態で、この接する面と交差する壁の面に回り込むように上記覆い縁部１２が位置するので、壁に接する笠木１の端部の美観を向上することができる。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３０】
１、１００      笠木
１Ａ、１００Ａ  表面側
１Ｂ、１００Ｂ  裏面側
１１、１０１    傾斜部
１２、１０２    覆い縁部
５    袖壁
６    階段腰壁
【図１】
0006654354.tif 000002
【図２】
0006654354.tif 000003
【図３】
0006654354.tif 000004
【図４】
0006654354.tif 000005
【図５】
0006654354.tif 000006
【図６】
0006654354.tif 000007
【図７】
0006654354.tif 000008